(57)【特許請求の範囲】
【請求項１】
ほぼ平らな表面を有するデジタイザタブレットと、
該デジタイザタブレットの前記表面上を使用者によって動かされ、その結果、前記デジタイザタブレット上のいずれの位置に置かれたかに対応してディスプレイ上にカーソルが表示される指示器と、を有し、
前記デジタイザタブレットは、メニュー領域と作業領域を有し、
前記メニュー領域は、使用者によって選択可能な複数の異なるメニュー項目を含むメニュー項目二次領域をその中に持ち、
前記メニュー項目の選択過程において、前記ディスプレイ上に表示される前記のカーソルの形状を、前記メニュー項目二次領域のいずれかの前記メニュー項目が選ばれる前に、前記デジタイザタブレット上の前記指示器が置かれている前記メニュー項目二次領域の前記メニュー項目に従って変化させることにより、前記ディスプレイ上で前記指示器が示す前記メニュー項目の機能を確認できるようにする、
ことを特徴とするデジタイザシステム。
【請求項２】
前記デジタイザタブレットは、前記指示器に送られる電磁波を生成するための複数の重なり合ったループ状のコイルを有することを特徴とする請求項１に記載のデジタイザシステム。
【請求項３】
前記メニュー項目二次領域は、所定の面積を有する複数の囲い枠である、請求項１記載のデジタイザシステム。
【請求項４】
さらに、前記デジタイザタブレット上で、前記指示器の所在場所の座標値を測定する手段を有し、該手段により決定した指示器がおかれた位置の座標値により前記指示器がおかれた領域に応じて、前記ディスプレイの画面上に示されるカーソルの形状を変えることを特徴とする請求項１記載のデジタイザシステム。
【請求項５】
デジタイザタブレットのメニュー領域内に設けられる選択用の複数のメニュー項目の中から、指示器が選択しているメニュー項目を、ディスプレイ上に示されるカーソルの形状によって確認可能にするメニュー項目決定方法であって、
前記選択用の複数のメニュー項目を持つメニュー領域を有するデジタイザタブレット上で前記指示器を動かすステップと、
前記デジタイザタブレット上の指示器の位置によって前記複数のメニュー項目の中のいずれかのメニュー項目が選択され確定されたときの前記カーソルの形状を表示するステップと、
前記メニュー項目の選択過程において、前記ディスプレイ上に表示される前記のカーソルの形状を、前記メニュー項目二次領域のいずれかの前記メニュー項目が選ばれる前に、前記デジタイザタブレット上の前記指示器が置かれている前記メニュー項目二次領域の前記メニュー項目に従って変化させるステップと、を含み、
前記ディスプレイ上に映し出されたカーソルの形状により、前記指示器がどのメニュー項目の機能を示しているかを確認可能とする、メニュー項目決定方法。
【発明の詳細な説明】
【０００１】
【発明が属する技術分野】
この発明は、対応するタブレットの上やそれに沿って動かす位置指示器（例えば、スタイラスやパック等の様なもの）を有するデジタイザシステムに関するものである。もっと詳細に述べれば、このシステムは、タブレットのメニューストリップ域内において指示器がどの位置に置かれたかに対応して、該当ディスプレイの画面上に現れるポインタのカーソル形を変える機能を持ったものである。
【０００２】
【従来の技術】
長年の間、デジタイズ用タブレット、書き込み用タブレット、図形入力用タブレットは、メニューストリップを取り入れてきた。これらのメニューストリップは、通常、図形を描く領域の上端部に沿って正方形、あるいは長方形のブロックが連なったものである。指示器でメニューストリップのブロックの一つをクリックすると、命令を実行したり、タブレットを操作するパラメータを換えたりする。
【０００３】
【発明が解決しようとする課題】
このシステムが常に抱える問題点は、操作する人が求めるメニューブロックの位置を探すのに画面上からタブレット上に視線を移さなければならなかったということである。これは望ましくないことである。
【０００４】
以上の考察から、当業界において、使用者がタブレットのメニューストリップ域内の指示器（スタイラス、マウス、パック等）位置を効果的に知ったり認識したりでき、その結果、使用者がメニューストリップのどの位置に指示器が位置しているかを画面からタブレット上に視線を移さなくても知ることができるデジタイザシステムに対する必要性が存在することがわかる。
【０００５】
上記の必要性だけでなく、下記に開示されている詳細な説明により、熟練した当業者にとってより明確になっていくであろう他の必要性をも満足させるのがこの発明の目的である。
【０００６】
【課題を解決するための手段】
上記課題を解決し、本発明の目的を達成するため、本発明のデジタイザシステムは、ほぼ平らな表面を有するデジタイザタブレットと、該デジタイザタブレットの表面上を使用者によって動かされ、その結果、前記デジタイザタブレット上のいずれの位置に置かれたかに対応してディスプレイ上にカーソルが表示される指示器と、を有している。このデジタイザタブレットは、メニュー領域と作業領域を有し、メニュー領域は、使用者によって選択可能な複数の異なるメニュー項目を含むメニュー項目二次領域をその中に持っている。そして、メニュー項目の選択過程において、ディスプレイ上に表示されるのカーソルの形状を、メニュー項目二次領域のいずれかのメニュー項目が選ばれる前に、デジタイザタブレット上の指示器が置かれているメニュー項目二次領域のメニュー項目に従って変化させることにより、ディスプレイ上で指示器が示すメニュー項目の機能を確認できるようにする。
【０００７】
また、本発明はデジタイザシステムにおけるメニュー項目決定方法を提供する。すなわち、本発明のメニュー項目決定方法は、デジタイザタブレットのメニュー領域内に設けられる選択用の複数のメニュー項目の中から、指示器が選択しているメニュー項目を、ディスプレイ上に示されるカーソルの形状によって確認可能にするメニュー項目決定方法であって、選択用の複数のメニュー項目を持つメニュー領域を有するデジタイザタブレット上で指示器を動かすステップと、デジタイザタブレット上の指示器の位置によって複数のメニュー項目の中のいずれかのメニュー項目が選択され確定されたときのカーソルの形状を表示するステップと、指示器が、メニュー領域の中の一つのメニュー項目から別のメニュー項目へ動かされる時に、ディスプレイ上に映し出されるカーソルの形状をメニュー項目の変化に対応して変更するステップと、を含み、ディスプレイ上に映し出されたカーソルの形状により、指示器がどのメニュー項目を示しているかを確認可能にすることを特徴としている。
【０００８】
【発明の実施の形態】
この発明を、特定の実施態様に関して、添付図を参考にしながら説明する。同様の参照数字は、数枚の図全てを通して、同様の部分および、または同様の機能を表す。
【０００９】
【実施例】
ここにあるデジタイザタブレットはその上にメニュー領域（例えばメニューストリップ等）を有し、それはメニュー領域を除いた作業領域に付随する。代表的なデジタイザシステムは、タブレットと、指示器と、それに対応し一個のディスプレイを持つコンピューターを含む。タブレット上の指示器の動きは検知され、それに応ずるカーソルはその動きに従ってコンピューターのディスプレイ上を移動する。これは使用者がデジタイザタブレットと一緒に指示器を使うことによって、コンピューター上で作業すること（例えば、絵を描いたり、文字データを書き込んだりすること等）を可能にする。使用者はタブレットのメニュー領域や作業領域のそれぞれの上や域内で指示器を操作することができる。例えば、指示器が作業領域の中にあるときは、使用者は従来通りの方法で、対応ディスプレイの画面上で、絵を描いたり、文字データを書き込んだりすることができる。使用者は又、（スタイラスやパック等の）指示器を従来の方法でシステムのパラメタを変化させる為にメニュー領域内で動かすこともできる。タブレットのメニュー領域はその中に定義付けを持つ複数の異なる二次領域やブロックを有する。この発明の重要な特徴は、指示器の使用者に、ディスプレイ画面から目を離すことなく、メニュー領域のどの二次領域、あるいはどのブロックに指示器が置かれているかを確認させることである。
【００１０】
図８は、この発明の典型的な実施態様に従ってデジタイザタブレット１５を図解したものである。それは、作業領域１０２と、メニュー領域あるいはメニューストリップ１０３と、そして、作業域とメニュー領域を囲むボーダー領域１０４を含むタブレット１５を有している。メニューストリップあるいはメニュー領域１０３は複数の異なる二次領域あるいはブロック１０５−１１５を含む。使用者は、タブレットの作業領域１０２と、メニュー領域１０３内の全ての二次領域１０５−１１５の両方で指示器を動かすことができる。異なるメニュー二次領域１０５−１１５を選択することによって、使用者はシステムの異なるコントロールパラメタやグラフィカルパラメタに変換させることができる。例えば、使用者はメニューの二次領域を使って、従来の様に、描く画像の線の太さを換えたり、色を換えたり、指示器に関する圧力閾値や圧力パラメタを換えたりすることができる。タブレット１５は通常例に従って対応するコンピューター１に接続されており、ディスプレイ画面９（例えばＬＣＤ、ＣＲＴ、プラズマパネル等）を有している。タブレット１５上での指示器１７，１９の動きによって、システムは、一つの形を持った対応カーソルを、ディスプレイ９の全画面上で、対応しながら動かすことが出来る。使用者はタブレット１５の上を指示器１７，１９を動かすことによってディスプレイ画面上のカーソルの位置を操作することができる。タブレット１５はほぼ平らな作業面を有し、その上を指示器は動くことができる。
【００１１】
この発明の実施態様に従って、最初のカーソルの形がメニュー領域１０３の最初の領域（例えば領域１０５等）上に指示器１７，１９が置かれた時にディスプレイ画面９上に示される。そして二番目の異なったカーソルの形が、指示器がメニュー領域１０３の二番目の領域（例えば領域１０９等）上に置かれた時にディスプレイ画面９上に示される。このように、使用者は、タブレット１５の上に視線を移すことなく、ディスプレイ画面上のカーソルの形を見るだけで簡単に指示器がメニュー領域のどこにあるのかを正確に把握できる。このように使用者がタブレット上を見下ろす必要性は、使用者やオペレーターに、使用者の指示器が置かれているメニュー項目に従って変換する画面上の手がかり（例えば、形が変わるカーソル等）を与えることによって除去される。指示器が、あるメニュー項目上に置かれているときに、それを知る手がかりが与えられることは重要であり、又、項目が選ばれる前もその手がかりは選択過程において特に有効である。このようにカーソルの形は、メニュー領域の指示器位置の関数としてディスプレイ画面９の上で素早く変換する。
【００１２】
変換するカーソルの形がこの発明の好ましい画面上の手がかりであるが、他の画面上の手がかりが代わりに使用され得ると言うことを特筆しなければならない。例えば、指示器の置かれているメニュー項目の関数としての浮動ウィンドゥ内に，情報が文字データや図形としてカーソルの代わりに画面上に表されうる。
【００１３】
図１は、この発明の典型的なデジタイザシステムを図式化した機能ブロック図であり、コンピュータ１のＣＰＵ（中央演算処理装置）によって実行される機能を模式図的に描いたものである。ソフトウェアか若しくはハードウェアは、ここに描かれたり示されたりする様々な機能を実行するために使われる。
【００１４】
コンピュータ１（６８０ＸＸプロセッサー付きマッキントッシュの様な）は、ＣＰＵ（示されていない）やＣＰＵに接続されたバス（示されていない）や記憶装置を含む典型的なコンピュータの構成部品を有する。記憶装置に保存されているのは、オペレーティングシステム（ＯＳ）３、タブレットドライバ５，アプリケーションプログラム７、そして、傾きデータ、スイッチデータや高解像度データなどの様な任意に得られる詳細な情報である。ＣＰＵ（中央演算処理装置）は特別な状況に合わせて要求されるプログラムを実行することによってオペレーティングシステム３やタブレットドライバ５を操作しながら、アプリケーションプログラム７を遂行する。オペレーティングシステム３やタブレットドライバ５の操作を伴うアプリケーションプログラム７の処理は、主にディスプレイ装置コントローラー１１やビデオＲＡＭ１３を経由してディスプレイ装置９に示され、その際、オペレーティングシステム３は、コントローラーに指示するＲＡＭ１３にドライバーソフトウェアをロードするためにディスプレイコントローラーやＲＡＭ１３と通信を交わしている。ＲＡＭ１３はディスプレイ画面９の画像を再生するためにコントローラー１１によってアクセスされる。
【００１５】
座標検出装置すなわちデジタイザタブレット１５は、電子ペン１７、および又は、電子カーソル又はパック１９（すなわち変換可能指示器）の位置を、それらから放たれる周波数、および又は、スイッチ状態と共に検出する。タブレット１５とコンピューター１によって複合位置検出装置（１７と１９）の位置とスイッチ状態を検出するために使用される典型的な方法とシステムは、それを共通に所有する合衆国の出願番号０８／３８８，２６５と０８／３５２，１３３の発明において開示されている。その開示は本願によってこの文書中に参考資料として加えられる。
【００１６】
座標検出デジタイザタブレット１５とコンピュータ１はタブレット１５のインターフェイス２１とコンピューター１のインターフェイス２３経由で接続されている。アプリケーションプログラム７を、この発明の異なる実施態様に従ってタブレット１５とスタイラス１７と共に使用できるように設計したり設計しなかったり出来る。図１に示されている機器構成図において、タブレットドライバ５は単一指示器（例えばマウスあるいはペン）と共に使用されるように意図されていて、ただ一つの装置から座標とスイッチの情報を受けるように設計されている。しかし、ペン１７、及び、カーソル又はマウス１９の様な複合の指示装置が使用される時、上記の０８／３８８，２６５と０８／３５２，１３３のシステムが特定の実施態様に従って実現されうる。
【００１７】
オペレーティングシステム３は、Macintoshや、MS-DOS、MS-WINDOWS(どちらもMicrosoft社の商標である)の様なソフトウェアである。従来のどんなマッキントッシュあるいは他のＰＣタイプのオペレーティングシステム（ＯＳ）でも十分間に合う。アプリケーションプログラム７は従来のデータベースソフトウェア、グラフィックソフトウェア、表計算ソフトウェア、ＣＡＤソフトウェア、そしてワードプロセッサーソフトウェアを指す。Microsoft WORD（商標）、Excel（商標）、PowerPoint（商標）、Fractal Design Dabbler（商標）、 Macromedia Freehand（商標）、Adobe Photoshop（商標）、Adobe Illustrator（商標）、Fractal Design PAINTER（商標） 、Wordperfect（商標） 、そして、LOTUS 1-2-3 （商標）は、この発明の異なる実施態様において使用されうる典型的なアプリケーションプログラムである。アプリケーションプログラム７は、この発明の異なる実施態様に従ってデジタイザタブレット１５やスタイラスと共に使用されるように設計したり設計しなかったりできる。例えば、Fractal Design PAINTER（商標）は、ペンの圧力や位置のデータと共に作動するように設計されているが、Wordperfect（商標）はそうではない。両方共、プログラム７として使用することができる。その理由は、ドライバ５が、多種多様なアプリケーションプログラムに対して使用者に削除能力を与える様に設計されているからである。
【００１８】
タブレットドライバ５は、座標検出装置１５とデジタイザシステムの製造者によって使用者に与えられる、いわゆるデバイスドライバである。タブレットドライバ５はスタイラス座標検出デジタイザタブレット１５からの座標情報、スイッチ情報、周波数情報や他の詳細な情報を、オペレーティングシステム３、アプリケーションインターフェイスレイヤ（ＡＰＩ）、あるいはアプリケーションプログラム７に伝達する目的でコンピューター１に（例えばフロッピィディスクを介して）導入されるプログラムであることが多い。この伝達は、データの能動的な（アクティブな）伝達だけではなく、受動的な（パッシブな）伝達をも含み、アプリケーションプログラム７などがデータを得ることを可能にする。これらの３つのプログラムはソフトウェアであるので、それぞれの機能の一部分を他のプログラムに組み込むことが可能である。例えば、タブレットドライバ５の全ての機能をアプリケーションプログラム７に組み込むことが出来る。
【００１９】
オペレーター若しくは使用者が座標入力を、削除あるいは書き込み用のスタイラス１７あるいはカーソル指示器１９を使って行うとき、オペレーターはディスプレイ画面９に示される内容を目で確認する。相互に作用し合う入力は元来アプリケーションプログラム７に支配される。グラフィックプロセッサー（ＣＡＤ）における位置入力を例に取れば、もし指示された位置がタブレット１５の製図領域１０２にあれば、アプリケーションプログラム７は指示された位置を表すポインタを画面９上に（例えば矢印や十文字形のようなカーソルの形によって）表示する。もしその指示された位置が例えばMicrosoft WORDのメニューディスプレイ領域１０３の中にあれば、アプリケーションプログラム７はメニュー領域内の指示器の置かれている位置によって決定されるカーソルの形を映し出す。例えば、図６(a)のカーソルの形はメニュー領域１０３内の異なる指示器位置に対して使われる。
【００２０】
画面９を見守りながら、オペレーターあるいは使用者は、位置決め装置（１７あるいは１９）を希望する位置やメニュー項目を選択するために動かし、希望する位置に到達するとオペレーターは書き込んだり、選んだり、ドラッグしたり、削除したり等のいずれかの目的でスタイラスのスイッチの（例えば、スタイラスのサイドスイッチや圧力スイッチ等の）電源を入れることが出来る。使用者はタブレットを見下ろす必要はない。というのは、ディスプレイ９上のカーソルの形が使用者に、指示器がどのメニュー項目を選択しその上に置かれているかを教えるからである。ドライバ５とアプリケーションプログラム７はスイッチデータ、周波数データや座標値を受信し、それらをオペレーティングシステム３を通して処理し、その結果、そこで応答し処理された情報はディスプレイ装置９に出力される。
【００２１】
オペレーティングシステム３はある実施態様においてスタイラスやタブレットデータ（例えば、傾斜角度検出や圧力スイッチデータ等）を識別しないので、このような詳細なデータは８に保存され、後にアプリケーションプログラム７によって検索される。例えば、高解像度のスタイラス位置データ、スタイラスの圧力と傾斜のデータ、スイッチデータやスタイラス削除データは詳細情報領域８に保存され、後に検索される。どんな記憶装置でも間に合うけれども、カーソルの形の情報も又、ここに保存することが出来る。
【００２２】
図２はコード（ケーブル）のないデジタルペンあるいはスタイラス１７を図式化したもので、これは削除用の先端部３１と書き込み用の先端３３を有している。並列共振同調回路３５（図４参照）は書き込み用の先端部３３に複数の異なる書き込み用周波数（例えば、周波数Ａ、Ｂ、Ｃ等）と位相を放出させる為に備えられている。書き込み用回路３５とは分離し、異質のものであるのが、スタイラス１７の削除用先端部３１に備えられている図３の削除用同調回路３７である。
【００２３】
ある実施態様に従って、削除用先端部３１は、オペレーティングシステム３及び、又はアプリケーションプログラム７から１ストロークで画面９上に表示された文字データやセルや他の対象物を選んだり削除したりするために使われる。一つの動作において、使用者は削除する文字データを選ぶ為にペン１７をタブレット１５に押さえつけ削除する文字データの端から端までペン１７（すなわち先端３１）を移動させる。そして選んだデータの最後まで来ると先端部３１をタブレット１５から離すとそのデータは削除される。
【００２４】
削除用回路３７は、図３に示されるように、可変コイル３９とコンデンサ４１を有する。コイル３９の両端部はタブレットによって充電されるコンデンサ４１に接続されている。コイル３９の（周波数の位相を変えるための）変化と回路３７によってそのように出力される位相は、この発明の特定の実施態様に従って削除用先端部３１によってタブレット１５の表面に加えられる圧力量によって引き起こされる。あらかじめ決められた圧力閾値を越えると、回路３７は、削除するためにマテリアルを選択したことを示すあらかじめ決められた位相値（削除信号）で周波数を放射する。言い換えれば、回路３７は圧力閾値が使用者によって越えられることがない時（例えば、先端部３１がタブレットと接触していなかったり、圧力閾値以下の力で軽く接触している場合は）削除指示信号を放射する。そして使用者が先端部３１をタブレットに対して強く押さえて、閾値を超えるときは削除信号（周波数の特別な位相）を放射する。このように先端部３１に加えられる圧力量があらかじめ決められた閾値を超えるときは、先端部３１がその上を通過するマテリアルは削除されるように選択され、続いて、先端部３１がタブレット１５から離れることによって圧力量が閾値より下回る時に画面９から消される。あるいは又、回路３７は固定されたコイルや可変コンデンサを代わりに使用できる。回路３７が削除信号（事前に決められている位相を持つ周波数）を放射し始める閾値は使用者の好みによって調節することが出来る。回路３７から放射される削除指示信号が、ある実施態様に従って事前に決められた周波数値にある間は、削除用先端部３１を識別する他のどんな従来の信号でも十分間に合う。
【００２５】
従って、削除回路３７は、あらかじめ決められた周波数の削除指示信号を継続的に放射し、もし、例えば先端部の圧力閾値が超えられたときのようなコイル３９の中のの変化によって周波数が決定されるなら、特定の位相値にある削除信号を放射する。
【００２６】
書き込み用同調回路３５（図４参照）はコイル４１、コンデンサ４３と可変コンデンサ４５（例えば、先端部圧力感応スイッチ等）で構成される並列の同調回路である。同調回路３５（及び同調回路３７）は電力がセンサーコイルを流れる時タブレットのセンサーコイルから生まれる周波数と同調することが出来る共振周波数を持っている。コイル４１の両端は、最初の任意スイッチ４９（例えば１番近くのスイッチ等）を通してコンデンサ４７に接続され、その結果、最初のスイッチ４９がオンになると同調回路３５の電磁波の周波数は変化する。最初のスイッチ４９に加えて、任意の第２番目のスイッチ５１（例えば２番目に近いスイッチ）とそれに対応するコンデンサ５３は最初のスイッチに並列に接続され、その結果、書き込み同調回路３５用の電磁波の周波数は、第２番目のスイッチ５１がオンになった時やあるいは始動される時に変化する。第２番目のスイッチ５１はスタイラス１７の外面に沿って備えられており、それはスイッチ４９と同様に、例えば、オペレーターがスタイラス１７（図７（ｂ）参照）を操作するときオペレーターの指が簡単に触れたり動かすことの出来る位置にある。
【００２７】
例えば、書き込み用回路３５は、スイッチ４９と５１が開いているとき、周波数"Ａ"（５３１kHz等）を放出し、スイッチ４９が閉じていて、スイッチ５１が開いているとき、周波数"Ｂ"（５６２kHz等）を放出し、そして、スイッチ４９が開いていて、スイッチ５１が閉じているとき、周波数"Ｃ"（５９０kHz等）を放出する。この発明のある実施態様に従って、削除用回路３７も又、スイッチ４９が開いていてスイッチ５１が閉じているとき回路３５によって放出されるのと同じ周波数である周波数"Ｃ"（その削除指示信号として）を放出する。書き込み用回路と削除用回路の両方が別の理由で同じ周波数を放出することが出来ることにより発生する問題は、図７と以下に論じられている該当説明の中に述べられているように克服することが出来る。
【００２８】
図７（a）は、デジタイザタブレット１５のＸ方向探知ユニット６１をペン１７の削除用先端部３１と共に図解している。タブレット１５の探知ユニットのコイルはタブレットのハウジングの中に位置している。一方、メニューストリップ領域はタブレットのハウジングの外側に記されている。Ｘ軸方向探知ユニット６１は複数のセンサーコイルＣ1、Ｃ2、Ｃ3、…Ｃ47、そしてＣ48を有し、それは部分的に重なり合いながら、Ｘ軸方向にお互いに並列に並んだループ状の導線で構成されている。これらのコイルの縦方向は同じ方向、つまり、Ｙ方向に向けられている。この実施態様は４８のセンサーコイルから成るＸ方向探知ユニット６１を示すけれども、当発明はこの４８という数に限られてはいず、又、デジタイザ技術において慣用されているＹ方向コイルをも取り入れている。
【００２９】
センサーコイルの一方の先端は最初の端末装置６３に接続されていて、もう一方の先端は二番目の端末装置６５に接続されている。最初の装置６３の一つの端末が、最初の選択端末６７に選択されて接続され、装置６３の他の端末は空いた状態となる。端末６７は一度に装置６３の中のたった一つの端末にのみ接続され、連続的に端末を走査する。第二番目の選択端末６９は、センサーコイルのもう一方の先端につながる為に、最初の選択端末６７と連結されている。最初と第二番目の端末装置６３と６５、そして最初と第二番目の選択端末６７と６９は、選択回路を構成している。このような方法で、感知された座標、周波数、そしてスイッチデータは、タブレット１５からインターフェイス２１を通して、コンピューター１に配置されたタブレットドライバ５に出力される。
【００３０】
図７(b)は、タブレット１５と共に使用される（削除用先端部３１と書き込み用先端部３３を有する）スタイラス１７の使用方法を図解している。この図では、削除用先端部３１はタブレット１５の感知可能な近さにあり、一方、書き込み用先端部３３はタブレット１５に対して反対側にある。スタイラス１７のスイッチ４９と５１は、使用者の指によって選択され作動されるサイドスイッチとしてここに表されている。
【００３１】
図５は、システムが削除モードではないときに、ディスプレイ９上に表されるそれぞれ違ったカーソルの形、７１、７３、７５、７７を表している。図６(b)は、画面９上に表される削除指示用のカーソルの形である８１、８２、８３を表している。
【００３２】
この発明の実施態様である、メニュー領域１０３に置かれた指示器位置の関数としてカーソルの形が調整されることに話を戻せば、ある実施態様において、カーソルの形（例えば図６ (a)のどの形のカーソルでも良いが）は、使用者に、指示器が置かれているメニュー項目１０５−１１５の機能あるいは番号を示す情報を伝える。例えば、図(a)の上段の左側にあるカーソルの形は、指示器がメニュー項目１０５の上にある時にディスプレイ９上に表されるカーソルの形として使うことが可能であり、その結果、カーソルの形の上にあるブロック内の番号１が指示器の位置するメニューブロックを模擬しそれを表示する。このように、使用者はタブレット１５を見下ろす必要もなく、どのメニュー項目が指示器の最も近くにあり選択されるのかを知るのである。
【００３３】
例として、以下のコードが画面のカーソルを変えるために使用される：
0004312298.tif 000002
【００３４】
タブレット１５上のそれぞれのメニュー項目１０５-１１５が、ＸＹ座標経由でシステムによって探し出されるので前述のコードが使用される。このようにメニュー項目１０５内の領域は少数のＸ座標値と少数のＹ座標値の間で定義される。タブレット１５上に置かれている指示器の座標値を決定し、そしてその座標値を上記の様なプログラムに組み込むことによって、システムはどのメニュー枠あるいは領域に指示器が置かれているのかを決定し、ディスプレイ９上に、あらかじめ決められている呼応するカーソルの形を表すことが出来る。
【００３５】
一旦上記の開示がされると、様々な他の修正点や特徴や改良点が熟練した当業者にははっきりとみえてくるだろう。このような他の特徴や修正点や改良点は、この発明の一部と考えられ、その適用範囲は、以下のクレーム（請求事項）によって決定することが出来る。
【００３６】
【発明の効果】
本発明は，上述のように構成されているから，指示器の使用者は、ディスプレイ画面から目を離すことなく、メニュー領域のどの二次領域、あるいはどのブロックに指示器が置かれているかを確認することができる。
【図面の簡単な説明】
【図１】この発明の一実施態様の実例となる機能ブロック図。タブレットドライバと基本ソフトと応用プログラムがコンピューターの中に配置され、デジタイザタブレットとそれに対応する指示器がそのコンピューターと通信している。
【図２】両端がとがったスタイラスの模式図。このスタイラスはこの発明のある実施態様に従って使うことができ、一方の先端は、書き込むためのもので、もう一方の先端は、削除するためのものである。
【図３】可変同調回路を図解したもの。この発明の特定の実施態様に従って、図２のスタイラスの削除用先端から異なる位相で削除用周波数を放射させるために使われる。
【図４】同調回路を図解したもの。この発明の一実施態様に従って、図２のスタイラスの書き込み用先端から異なる書き込み用周波数と位相を放射させるために使われる。
【図５】削除用ではないことを示す４つの代表的なカーソルの形を表している図。それは、そのシステムが削除モードでないときにこの発明の特定の実施態様に従って、ディスプレイ画面上に表示されたり映し出されたりする。
【図６】図６(a)は、タブレット上の指示器の位置を示す８つの異なるカーソルの形を図で表している。それは対応するディスプレイ画面上に示され、その結果、使用者がディスプレイ画面上から目をはなさずにメニューストリップ域内の指示器の位置を認識できる。図６(b)は、削除を示す形をしている図５の内の３つのカーソル形を図に表していて、そのシステムが今削除モードであることを使用者に教える。
【図７】図７(a)はこの発明の特定の実施態様に従ったデジタイザタブレットとそれに対応する削除用スタイラスの模式図。図７(b)はタブレットと一緒に使われる（図２と図７(a)の）削除用並びに書き込み用スタイラスやペンの透視図。
【図８】この発明の一実施態様に従ったデジタイザタブレットの上面図。その図には、その表面にメニューストリップ領域を有するタブレットがあり、そのメニューストリップ領域の中で指示器を操作することが出来る。
【符号の説明】
１    コンピュータ
３    オペレーティングシステム
５    タブレットドライバ
７    アプリケーションプログラム
９    ディスプレイ画面
１１    ディスプレイ装置コントローラ
１３    ビデオＲＡＭ
１５    デジタイザタブレット
１７    電子ペン
１９    電子カーソル又はパック
２１，２３    インターフェイス
【図１】
0004312298.tif 000003
【図２】
0004312298.tif 000004
【図３】
0004312298.tif 000005
【図４】
0004312298.tif 000006
【図５】
0004312298.tif 000007
【図６】
0004312298.tif 000008
【図７】
0004312298.tif 000009
【図８】
0004312298.tif 000010